(57)【要約】【課題】オリジナルの書類に書き加えられた情報を時間および手間を掛けずに抽出する。【解決手段】画像形成装置１に、書類を構成する各ページの画像であるページ画像を読み取るための処理を実行する書込有書類読取処理部１０３、ページに書込があるか否かを、読み取られたそのページのページ画像に基づいて判別する、書込ページ判別部１０４と、書込があると判別されたページのページ画像のみから、書込の画像である書込画像を抽出する、書込画像抽出部１０５と、を設ける。【選択図】図４
2007115204.tif 000002
【特許請求の範囲】
【請求項１】
書類を構成する各ページの画像であるページ画像を入力するページ画像入力手段と、
前記ページに書込があるか否かを、入力された当該ページの前記ページ画像に基づいて判別する、書込ページ判別手段と、
書込があると判別された前記ページに対して、当該ページの前記ページ画像から書込の画像である書込画像を抽出する書込画像抽出処理を実行し、書込がないと判別された前記ページに対しては前記書込画像抽出処理を実行しない、書込画像抽出手段と、
を有することを特徴とする書込画像取得装置。
【請求項２】
前記各ページの書込のない状態の画像であるオリジナルページ画像を記憶するオリジナル画像記憶手段、を有し、
前記書込ページ判別手段は、前記ページに書込があるか否かを、入力された当該ページの前記ページ画像の所定の位置に印があるか否かによって判別し、
前記書込画像抽出手段は、書込があると判別された前記ページの前記書込画像を、当該ページの前記ページ画像と当該ページの前記オリジナルページ画像との差分を求めることによって抽出する、
請求項１記載の書込画像取得装置。
【請求項３】
前記所定の位置は、前記書類の用紙の色とは異なる色の線で囲われた領域によって示されており、
前記書込画像抽出手段は、前記書込画像を、前記領域および前記印を除外した状態で抽出する、
請求項２記載の書込画像取得装置。
【請求項４】
前記所定の位置とは、用紙内の、前記書類を印刷する印刷装置が印刷することのできない領域である、
請求項２記載の書込画像取得装置。
【請求項５】
前記書類を構成する各ページの書込のない状態の画像であるオリジナルページ画像を記憶するオリジナル画像記憶手段、を有し、
前記書込ページ判別手段は、前記ページに書込があるか否かを、当該ページの前記ページ画像の解像度を落とした画像と当該ページの前記オリジナルページ画像の解像度を落とした画像とを比較することによって判別し、
前記書込画像抽出手段は、書込があると判別された前記ページの前記書込画像を、当該ページの前記ページ画像と当該ページの前記オリジナルページ画像との差分を求めることによって抽出する、
請求項１記載の書込画像取得装置。
【請求項６】
オリジナルの書類に書き込まれた情報を抽出する書込情報抽出方法であって、
前記書類を構成する各ページの画像であるページ画像を入力し、
前記ページに情報が書き込まれているか否かを、入力された当該ページの前記ページ画像に基づいて判別し、
情報が書き込まれていると判別した前記ページに対して、当該ページの前記ページ画像から書込の画像である書込画像を抽出する書込画像抽出処理を実行し、情報が書き込まれてないと判別した前記ページに対しては前記書込画像抽出処理を実行しない、
ことを特徴とする書込情報抽出方法。
【請求項７】
オリジナルの書類に書き込まれた情報を抽出する処理を実行するコンピュータに用いられるコンピュータプログラムであって、
前記コンピュータに、
前記書類を構成する各ページの画像であるページ画像を入力する処理、を実行させ、
前記ページに情報が書き込まれているか否かを、入力された当該ページの前記ページ画像に基づいて判別する処理、を実行させ、
情報が書き込まれていると判別した前記ページについてのみ、当該ページの前記ページ画像から、書き込まれた情報の画像である書込画像を抽出する処理、を実行させる、
ことを特徴とするコンピュータプログラム。
【発明の詳細な説明】
【技術分野】
【０００１】
本発明は、ＭＦＰ、パーソナルコンピュータ、またはワークステーションなどのような画像処理機能を有する装置およびこれらの装置における画像処理方法などに関する。
【背景技術】
【０００２】
近年、様々な情報が電子データ化され保存されるようになった。情報を電子データとして保存することには、次のようなメリットがあるからである。ＣＤ−ＲＯＭまたはハードディスクなどの電磁的記録媒体には、紙よりも非常に多くのデータを記録することができ、情報の記録物の保管場所のスペースを非常に節約することができる。ネットワークサーバによって、情報の共有を容易に行うことができる。また、データを簡単に暗号化することができるので、情報の記録物が万が一盗まれたとしても、情報の漏洩を防ぐことができる。
【０００３】
これらのメリットが得られるので、従来は紙で保管していた情報を、スキャナで読み取って電子データ化して保存した上で、情報が書かれた紙を廃棄処分するように努めている企業もある。
【０００４】
紙に書かれた情報を電子データ化するために、スキャナが広く用いられている。また、特許文献１に記載されるような、スキャナを応用した方法が提案されている。係る方法によると、電子ファイル文書の内容が印刷された紙面に書き加えられた内容を抽出することができる。
【特許文献１】特開平１１−２７２６５４号公報
【発明の開示】
【発明が解決しようとする課題】
【０００５】
ところで、近年、ノート型パソコンまたはＰＤＡ（Personal Digital Assistant）などの携帯型端末装置の普及により、従来はノートブックなどの紙媒体に書き残していたメモを、携帯型端末装置に入力し電子データとして保存する者が増えつつある。しかしながら、依然として、紙媒体にメモを書き残す者も非常に多いし、今後もメモを書くために紙媒体が重宝されるものと考えられる。紙媒体であれば、携帯型端末装置の場合のように電源を起動する必要がないので、メモをすぐに書くことができるからである。また、アプリケーションソフトやツールを切り換えることなく、文章、記号、数式、イラスト、または図表などを使ったメモをペンだけで簡単に書くことができるからである。
【０００６】
これ以外にも、紙媒体には次のようなメリットがある。例えば、会議などにおいて紙媒体に印刷された書類が出席者に配布されるが、各出席者は、会議中に考え付いたことや他人の発言などのメモを、各人に配布された書類の中のその関連個所の近傍の余白部分または行間などに、自由に書き込むことができる。このようにして書き込んでおけば、後日、メモの内容と書類の内容との関連性が分かりやすい。
【０００７】
このように複数の者に配布されメモなどの情報が書き加えられた紙の書類についても、特許文献１に記載される方法によって、メモの部分を抽出して電子データ化し、管理することができる。また、１つの書類について、各人がそれぞれに書き加えた情報の電子データを収集することができる。
【０００８】
しかし、特許文献１に記載されるような従来の方法では、複数のページからなる書類に書き加えられた情報を抽出するのに時間または手間が掛かる場合がある。すなわち、従来の方法によると、係る書類のうちの一部のページのみに情報が書き加えられている場合であっても、１ページずつ書き加えられた情報を抽出しなければならず、時間が掛かってしまう。情報が書き加えられているページのみをユーザが予め手作業で抜き出し、それらのページから書き加えられた情報を抽出すると、手間が掛かってしまう。
【０００９】
本発明は、このような問題点に鑑み、オリジナルの書類に書き加えられた情報を従来に比べて時間および手間を掛けることなく抽出できるようにすることを目的とする。
【課題を解決するための手段】
【００１０】
本発明に係る書込画像取得装置は、書類を構成する各ページの画像であるページ画像を入力するページ画像入力手段と、前記ページに書込があるか否かを、入力された当該ページの前記ページ画像に基づいて判別する、書込ページ判別手段と、
書込があると判別された前記ページに対して、当該ページの前記ページ画像から書込の画像である書込画像を抽出する書込画像抽出処理を実行し、書込がないと判別された前記ページに対しては前記書込画像抽出処理を実行しない、書込画像抽出手段と、を有することを特徴とする。
【００１１】
前記書込ページ判別手段は、前記ページに書込があるか否かを、次のような方法で判別する。例えば、書込を行った前記ページの所定の位置に印を付けるようにユーザに対して規則を定めておく。そして、前記書込ページ判別手段は、前記ページに書込があるか否かを、入力された当該ページの前記ページ画像の所定の位置に印があるか否かによって判別する。
【００１２】
または、前記書類を構成する各ページの書込のない状態の画像であるオリジナルページ画像を記憶するオリジナル画像記憶手段、を設けておく。そして、前記書込ページ判別手段は、前記ページに書込があるか否かを、当該ページの前記ページ画像の解像度を落とした画像と当該ページの前記オリジナルページ画像の解像度を落とした画像とを比較することによって判別する。
【００１３】
本発明において、「書込」とは、オリジナルの書類に人間がペンなどの筆記用具を用いて手書きでメモなどの情報を書き加えることまたはその書き加えられた情報を言う。または、オリジナルの書類に新聞や雑誌などの切り抜きを貼り付けたり印刷装置で印字したりして情報を追加することおよびその追加された情報も、「書込」に該当する。
【発明の効果】
【００１４】
本発明によると、オリジナルの書類に書き加えられた情報を従来に比べて時間および手間を掛けることなく抽出することができる。
【発明を実施するための最良の形態】
【００１５】
〔第一の実施形態〕
図１は本発明に係る画像形成装置１が設けられているネットワーク全体の構成の例を示す図、図２は画像形成装置１のハードウェア構成の例を示す図、図３は操作パネル１０ｆの例を示す図、図４は画像形成装置１の機能的構成の例を示す図である。
【００１６】
本発明に係る画像形成装置１は、図１に示すように、１台または複数台の端末装置２と通信回線３を介して接続されている。通信回線３として、ＬＡＮ、インターネット、公衆回線、または専用線などが用いられる。
【００１７】
画像形成装置１は、コピー、スキャナ、ファックス、ネットワークプリンティング、およびドキュメントサーバなどの様々な機能を集約した処理装置である。複合機またはＭＦＰ（Multi Function Peripherals）などと呼ばれることもある。
【００１８】
画像形成装置１は、役所または企業などのオフィス、学校または図書館などの公共施設、その他種々の場所に設置され、複数のユーザによって共用することができる。
【００１９】
図２に示すように、画像形成装置１は、ＣＰＵ１０ａ、ＲＡＭ１０ｂ、ＲＯＭ１０ｃ、ハードディスク１０ｄ、制御用回路１０ｅ、操作パネル１０ｆ、スキャナユニット１０ｇ、印刷ユニット１０ｈ、通信インタフェース１０ｊ、および原稿送り機構１０ｋなどによって構成される。
【００２０】
制御用回路１０ｅは、ハードディスク１０ｄ、操作パネル１０ｆ、スキャナユニット１０ｇ、印刷ユニット１０ｈ、通信インタフェース１０ｊ、および原稿送り機構１０ｋなどを制御するための回路である。
【００２１】
スキャナユニット１０ｇは、用紙に描かれている文章、数式、記号、写真、図表、またはイラストなどのコンテンツの画像を光学的に読み取って画像データを生成する装置である。
【００２２】
原稿送り機構１０ｋは、書類を構成する１枚または複数枚の用紙を順にスキャナユニット１０ｇに送る。また、いわゆる両面原稿に対応しており、書類の各用紙について、一方の面がスキャナユニット１０ｇで読み取られた後、それを裏返して再度スキャナユニット１０ｇに送り出すことによってもう一方の面を読み取らせることができる。
【００２３】
以下、書類を構成する用紙のうち、コンテンツが描かれている面を「原稿面」と記載する。つまり、用紙の両面にコンテンツが描かれている場合（いわゆる両面原稿の場合）は、用紙の表裏それぞれが原稿面であり、用紙の片面のみにコンテンツが描かれている場合（いわゆる片面原稿の場合）は、その描かれている面のみが原稿面である。原稿面は、一般に、「印刷面」と呼ばれることもある。
【００２４】
また、本実施形態では、１つの原稿面に書類の１ページ分のコンテンツが描かれているものとする。したがって、１０ページからなる書類であれば、１０の原稿面を有することになる。以下、１つの原稿面（ページ）全体に描かれている画像を「ページ画像」と記載することがある。
【００２５】
印刷ユニット１０ｈは、スキャナユニット１０ｇによって得られた画像データまたは端末装置２などから送信されてきた画像データに基づいて画像を用紙に印刷する。通信インタフェース１０ｊは、他の装置と通信を行うためのＮＩＣ（Network Interface Card）またはモデムなどである。
【００２６】
操作パネル１０ｆは、図３に示すように、操作部ＳＢおよび表示部ＴＤによって構成される。操作部ＳＢとしてテンキーなどが用いられ、表示部ＴＤとして液晶ディスプレイなどが用いられる。ユーザは、操作部ＳＢを操作することによって、画像形成装置１に対して、処理の実行開始または中断などの指令を与え、データの宛先、印刷条件、またはスキャン条件などの処理条件を指定し、その他種々の事項を指定することができる。表示部ＴＤには、ユーザに対してメッセージまたは指示を与えるための画面、ユーザが所望する処理の種類および処理条件を入力するための画面、および画像形成装置１で実行された処理の結果を示す画面などが表示される。操作パネル１０ｆとしてタッチパネルを用いた場合は、タッチパネルが操作部ＳＢおよび表示部ＴＤの両方を兼ねる。このように、操作パネル１０ｆは、画像形成装置１を操作するユーザのためのユーザインタフェースの役割を果たしている。
【００２７】
ハードディスク１０ｄには、図４に示すようなオリジナル書類登録処理部１０１、オリジナル書類複製処理部１０２、書込有書類読取処理部１０３、書込ページ判別部１０４、書込画像抽出部１０５、およびオリジナル画像データベース１ＤＢなどの各機能を実現するためのプログラムおよびデータなどが格納されている。これらのプログラムは必要に応じてＲＡＭ１０ｂに読み出され、ＣＰＵ１０ａによってプログラムが実行される。これらのプログラムまたはデータの一部または全部を、ＲＯＭ１０ｃに記憶させておいてもよい。または、図４に示す機能の一部または全部を、制御用回路１０ｅによって実現するようにしてもよい。
【００２８】
図１に戻って、端末装置２には画像形成装置１に対応したアプリケーションプログラムおよびドライバがインストールされており、ユーザは、端末装置２を操作することによって遠隔的に画像形成装置１を使用することができる。端末装置２として、パーソナルコンピュータまたはワークステーションなどが用いられる。
【００２９】
図５はオリジナル書類の構成の例を示す図、図６は書類のページ内における書込有チェックボックスＣＢの配置の例を示す図、図７は書込画像ＫＧの生成方法の例を説明するための図である。
【００３０】
次に、図４に示す画像形成装置１の各部の処理内容などについて詳細に説明する。
【００３１】
オリジナル画像データベース１ＤＢには、オリジナル書類の各ページのページ画像を再現するための画像データが格納されている。「オリジナル書類」とは、完成後、何も情報が書き加えられていない状態の書類を意味する。つまり、書類の原本または原版である。例えば、会議の出席者への配布用の資料であって、配布する直前の状態のものが、オリジナル書類に該当する。または、各種の申請を行うための雛形の用紙も、オリジナル書類に該当する。以下、オリジナル書類を構成するページのページ画像を再現するための画像データを「オリジナル画像データＤＧＡ」と記載する。
【００３２】
オリジナル書類のオリジナル画像データＤＧＡは、オリジナル書類登録処理部１０１によって、例えば次のようにして、オリジナル画像データベース１ＤＢに登録（格納）される。
【００３３】
ユーザは、メモなどの情報の書込が何もなされていない書類つまりオリジナル書類を、決められた向き（裏表および上下の向き）で、原稿送り機構１０ｋにセットする。そして、操作パネル１０ｆを操作することによって、そのオリジナル書類の用紙の片面のみにコンテンツが描かれているのか両面に描かれているのか（つまり、片面原稿であるか両面原稿であるか）を指定する。
【００３４】
すると、オリジナル書類登録処理部１０１は、スキャナユニット１０ｇおよび印刷ユニット１０ｈを次のように制御する。セットされたオリジナル書類の用紙が１枚ずつスキャナユニット１０ｇに送り出されるように原稿送り機構１０ｋを制御する。送られてきた用紙に描かれているページ画像をスキャンし画像データを生成するようにスキャナユニット１０ｇを制御する。なお、そのオリジナル書類が両面原稿であるとユーザによって指定されている場合は、用紙の表面および裏面のそれぞれに描かれているページ画像の画像データが得られるように原稿送り機構１０ｋおよびスキャナユニット１０ｇを制御する。また、各原稿面のページ画像に対して、そのスキャン順にページ番号を与える。
【００３５】
このようにして得られた各ページのページ画像の画像データを統合することによって、図５に示すようなオリジナル画像データＤＧＡを生成する。オリジナル画像データＤＧＡのフォーマットとして、ＰＤＦ、ＴＩＦＦ、ＪＰＥＧ、またはＧＩＦなどが用いられる。そして、生成したオリジナル画像データＤＧＡを、オリジナル書類の識別情報（例えば、ファイル名または書類名など）と対応付けて、オリジナル画像データベース１ＤＢに登録する。識別情報は、ユーザに指定させてもよいし、オリジナル書類登録処理部１０１が決定するようにしてもよい。
【００３６】
ユーザは、オリジナル書類を用紙に印刷して閲覧したい場合は、操作パネル１０ｆを操作することによって、そのオリジナル書類の識別情報を画像形成装置１に対して指定する。
【００３７】
すると、オリジナル書類複製処理部１０２は、その識別情報に係るオリジナル書類のオリジナル画像データＤＧＡをオリジナル画像データベース１ＤＢから呼び出す。そのオリジナル画像データＤＧＡに基づいて、そのオリジナル書類の各ページのページ画像の所定の位置に、書込有チェックボックスＣＢを重ね合わせた画像を生成する。そして、各ページの、書込有チェックボックスＣＢが重ね合わせされたページ画像を用紙に印刷するように、印刷ユニット１０ｈを制御する。なお、書込有チェックボックスＣＢは、図６に示すように、用紙の、印刷ユニット１０ｈによる印字が可能な範囲（以下、「印刷可能範囲ＡＲ」と記載する。）の内側の所定の位置に設けられる。また、書込有チェックボックスＣＢは、オリジナル書類の用紙の色とは異なる色の線によって表される。例えば、用紙の色が白である場合は、黒または青などの線によって表される。
【００３８】
このようにして、ユーザは、オリジナル書類の複製を入手することができる。上述の通り、この複製には、書込有チェックボックスＣＢが設けられている。しかし、この書込有チェックボックスＣＢは、後に説明する書込画像の抽出の制御のために用いられるものであって、メモ書きなどの情報ではない。したがって、この複製も、オリジナル書類であると言える。
【００３９】
または、ユーザは、端末装置２を操作してオリジナル書類の印刷物を入手することもできる。この場合も、ユーザは、所望するオリジナル書類の識別情報を端末装置２に指定する。
【００４０】
すると、端末装置２は、その識別情報に対応するオリジナル画像データＤＧＡを画像形成装置１に対して要求し、これをダウンロードする。そして、端末装置２にＵＳＢ（Universal Serial Bus）またはパラレルポートなどを介して接続されている印刷装置を用いて、オリジナル書類複製処理部１０２による処理と同様に、そのオリジナル書類の各ページの画像を、ページ内の所定の位置に書込有チェックボックスＣＢを設けた状態で、用紙に印刷する。
【００４１】
ユーザは、このようにして入手したオリジナル書類の印刷物にペンを用いてメモ書きなどの情報を手書きで書き込むことができる。または、他の資料の切り抜きを余白部分に貼り付けることによって、情報を書き込むこともできる。以下、このように一部または全部のページに書込が行われた書類を、「書込有書類」と記載する。ただし、書き込んだページの書込有チェックボックスＣＢの内側には、レ点または丸印などのマーク（印）をペンで付しておく。そして、書き込んだ情報を表す画像を抽出して電子データ化する処理を画像形成装置１に実行させることができる。係る処理は、書込有書類読取処理部１０３および書込ページ判別部１０４によって、次のように実行される。
【００４２】
係る処理の準備のために、ユーザは、書込を行ったオリジナル書類つまり書込有書類を、決められた向き（裏表および上下の向き）で、原稿送り機構１０ｋにセットする。一部のページにのみ書込を行った場合も、書込有書類を構成する全用紙を元のページ順のまま纏めてセットする。そして、操作パネル１０ｆを操作することによって、その書込有書類が片面原稿であるか両面原稿であるかを指定するとともに、その識別情報を指定する。
【００４３】
すると、書込有書類読取処理部１０３は、スキャナユニット１０ｇおよび原稿送り機構１０ｋを次のように制御する。セットされた書込有書類の用紙が１枚ずつスキャナユニット１０ｇに送り出されるように原稿送り機構１０ｋを制御する。送られてきた用紙に描かれている画像を読み取るようにスキャナユニット１０ｇを制御する。なお、その書込有書類が両面原稿であるとユーザによって指定されている場合は、用紙の表面および裏面のそれぞれに描かれている画像が読み取られるように原稿送り機構１０ｋおよびスキャナユニット１０ｇを制御する。また、各原稿面の画像に対して、そのスキャン順にページ番号を与える。
【００４４】
書込ページ判別部１０４は、書込有書類読取処理部１０３の処理によって得られた画像に基づいて、書込有書類の中から書込みがあるページを判別する。すなわち、書込ページ判別部１０４は、得られた各画像の書込有チェックボックスＣＢの位置に、レ点または丸印などのマークがあるか否かを確認する。そして、マークがある画像に係るページを、書込があるページであると判別する。マークがない画像に係るページについては、書込がないページであると判別する。
【００４５】
書込画像抽出部１０５は、書込有書類の中の、書込があると判別されたページの画像から、書込の画像を抽出して電子化するための処理を行う。係る処理は、例えば図７に示すような手順で行われる。
【００４６】
書込有書類読取処理部１０３によって得られた、書込有書類の画像の中から、書込があると判別されたページの画像を呼び出す（図７の＃２０１）。オリジナル画像データベース１ＤＢに記憶されている、ユーザが指定した識別情報に係るオリジナル書類（つまり、その書込有書類に対応するオリジナル書類）のオリジナル画像データＤＧＡの中から、ステップ＃２０１で呼び出したページの画像と同じページ番号の画像を呼び出す（＃２０２）。
【００４７】
そして、呼び出した両画像を照合することによって画像の差分を抽出し、差分を表す画像の画像データを生成する（＃２０３、＃２０４）。ただし、書込有チェックボックスＣＢおよびその中の画像（マーク）は、制御用の情報なので、除去しておく。このようにして得られた画像が、ユーザが書き込んだメモなどの情報を表わす書込画像ＫＧである。
【００４８】
生成された書込画像ＫＧは、操作パネル１０ｆなどに表示され、画像ファイルとしてハードディスク１０ｄまたは他の記憶媒体に記憶され、または通信回線３などを介して他の装置に送信される。
【００４９】
図７のフローチャートで説明した処理は、書込がないと判別されたページに対しては実行されない。
【００５０】
図８は第一の実施形態における画像形成装置１の全体的な処理の流れの例を説明するためのフローチャートである。次に、第一の実施形態における画像形成装置１による書込画像ＫＧの生成処理の流れを、図８のフローチャートを参照して説明する。なお、図８および後に説明する各フローチャートに示す処理は、ＣＰＵ１０ａによって制御される。
【００５１】
画像形成装置１は、予め、オリジナル書類をスキャンすることによってそのオリジナル書類を再現するためのオリジナル画像データＤＧＡを生成し、そのオリジナル画像データＤＧＡをそのオリジナル書類の識別情報と対応付けてオリジナル画像データベース１ＤＢに登録しておく（図８の＃１１）。
【００５２】
ユーザからの要求に従って、オリジナル書類の複製を、各ページの所定の位置に書込有チェックボックスＣＢを設けた状態で用紙に印刷する（＃１２）。
【００５３】
ここで、ユーザは、印刷されたオリジナル書類の複製に自由にメモなどの情報を書き込む。ただし、書き込んだページの書込有チェックボックスＣＢには、マークを印しておく。そして、情報を書き込んだ書類つまり書込有書類を、画像形成装置１にスキャンさせる（＃１３）。このとき、そのオリジナル書類の識別情報を指定しておく。
【００５４】
すると、画像形成装置１は、スキャンした書込有書類のページの書込有チェックボックスＣＢにマークが印されているか否かをチェックし（＃１４）、マークが印されていれば（＃１５でＹｅｓ）、そのページと同じページ番号の、ユーザが指定した識別情報に係るオリジナル書類のページのページ画像を、オリジナル画像データベース１ＤＢから呼び出す（＃１６）。そして、そのページのスキャンした画像（つまり、書込有書類の画像）と呼び出した画像（つまり、オリジナル書類の画像）とを照合しその差分を抽出することによって、書込画像ＫＧを生成する（＃１７）。
【００５５】
一方、マークが印されていなければ（＃１５でＮｏ）、そのページには書込がないので、書込画像ＫＧの生成は行わない。
【００５６】
ステップ＃１４〜＃１７の各処理を、マークの有無に応じて、スキャンした全ページに対して実行する。
【００５７】
本実施形態によると、ユーザが書込を行ったページを判別し、書込があると判別したページに対してのみ書込画像ＫＧの抽出処理を施し、書込がないと判別したページに対しては抽出処理を施さない。よって、従来よりも効率的に書込画像ＫＧの電子データを得ることができる。特に、オリジナル書類が多数のページによって構成されるがそのうちの数ページにしか書込が行われなかった場合であっても、書込のないページに対する従来のような無駄な処理を行うことなく、効率的に書込画像ＫＧの電子データを得ることができる。
【００５８】
図９は書類のページ内における書込有チェック領域ＣＲの配置の例を示す図である。本実施形態では、図６で説明したように、オリジナル書類の複製の各ページには、メモなどの情報を書き込んだことを明示するための領域として書込有チェックボックスＣＢを設けたが、印刷可能範囲ＡＲの外側の部分を係る領域として使用してもよい。つまり、図９（ａ）に示すように、用紙内の印刷可能範囲ＡＲの外側の領域を、書込有チェック領域ＣＲとする。この書込有チェック領域ＣＲは、印刷ユニット１０ｈによる印刷は不能であるがスキャナユニット１０ｇによる読取は可能である領域である。
【００５９】
ユーザは、メモなどの書込を行ったページの書込有チェック領域ＣＲに、図９（ｂ）のように、半円などのマークを入れる。そして、画像形成装置１の書込ページ判別部１０４は、スキャンした書込有書類の各ページの書込有チェック領域ＣＲをチェックし、マークが印されているページについては書込があると判別し、印されていないページについては書込がないと判別する。
【００６０】
また、この場合は、オリジナル書類複製処理部１０２は、書込有チェックボックスＣＢを設けることなくオリジナル書類の複製を印刷するための処理を実行する。
【００６１】
図１０は重ね合わせ画像ＷＧを生成するための機能的構成の例を示す図、図１１は書込画像データベース１ＤＫの例を示す図である。
【００６２】
書込有書類から得られた書込画像ＫＧは、オリジナル書類に重ね合わせて用紙などに出力することができる。また、複数の書込画像ＫＧを１つのオリジナル書類に重ね合わせて出力することもできる。これらの出力のための処理は、例えば次のような方法によって実現することができる。
【００６３】
画像形成装置１に、図１０に示すようなオリジナル書類指定受付部１３１、ページ番号指定受付部１３２、書込画像指定受付部１３３、画像重ね合わせ処理部１３４、および書込画像データベース１ＤＫを設けておく。
【００６４】
書込画像データベース１ＤＫには、図１１に示すように、書込画像抽出部１０５（図４参照）によって得られた書込画像ＫＧの画像データが保存される。書込画像ＫＧの画像データには、その書込画像ＫＧの識別情報と、その書込画像ＫＧが書き込まれた書類つまりオリジナル書類の識別情報およびページ番号とが、対応付けられる。
【００６５】
オリジナル書類指定受付部１３１は、オリジナル画像データベース１ＤＢに登録されているオリジナル書類の一覧を操作パネル１０ｆに表示させ（＃２１１）、ユーザが出力を所望するオリジナル書類の指定を受ける（＃２１２）。
【００６６】
ページ番号指定受付部１３２は、オリジナル書類指定受付部１３１によって受け付けられた指定に係るオリジナル書類を構成するページの一覧を表示させ（＃２１３）、ユーザが出力を所望するページの指定を受け付ける（＃２１４）。
【００６７】
書込画像指定受付部１３３は、ページ番号指定受付部１３２によって受け付けられたページに以前に書き込まれたことのある書込の書込画像ＫＧの一覧を表示させ（＃２１５）、ユーザがそのページに重ね合わすことを所望する書込画像ＫＧの指定を受け付けるための処理を行う（＃２１６）。
【００６８】
画像重ね合わせ処理部１３４は、ユーザが指定したオリジナル書類のオリジナル画像データＤＧＡをオリジナル画像データベース１ＤＢから呼び出し、ユーザが指定したページの画像の画像データをそのオリジナル画像データＤＧＡの中から抽出する（＃２１７）。さらに、ユーザが指定した書込画像ＫＧの画像データを書込画像データベース１ＤＫの中から呼び出す（＃２１８）。そして、これらの画像データに基づいてオリジナル書類のページに書込画像ＫＧを重ね合わせることによって、重ね合わせ画像ＷＧを生成する（＃２１９）。図１０では、オリジナル書類の１つのページに２つの書込画像ＫＧを重ね合わせた例を示している。この重ね合わせ画像ＷＧは、用紙などに印刷されて出力される。または、画像ファイルとして出力してもよいし、操作パネル１０ｆに表示することによって出力してもよい。
【００６９】
〔第二の実施形態〕
図１２は画像形成装置１の機能的構成の変形例を示す図、図１３は書込のあるページの判別方法の例を説明するための図である。
【００７０】
第一の実施形態では、メモなどの情報が書き込まれたページを、書込有チェックボックスＣＢまたは書込有チェック領域ＣＲのマークの有無によって判別した。第二の実施形態では、低解像化したオリジナル書類の各ページの画像および書込有書類の各ページの画像を比較することによって、メモなどの情報が書き込まれたページを判別する。
【００７１】
以下、第一の実施形態との相違点を中心に説明する。第一の実施形態と共通する点については説明を省略する。
【００７２】
第二の実施形態における画像形成装置１のハードウェア構成は、第一の実施形態の場合と同様であり、図２で示した通りである。ただし、ハードディスク１０ｄには、図１２に示すようなオリジナル書類登録処理部１２１、オリジナル書類複製処理部１２２、書込有書類読取処理部１２３、書込ページ判別部１２４、書込画像抽出部１２５、低解像度画像生成部１２６、およびオリジナル画像データベース１ＤＣなどの各機能を実現するためのプログラムおよびデータなどが格納されている。
【００７３】
図１２のオリジナル書類登録処理部１２１、オリジナル書類複製処理部１２２、書込有書類読取処理部１２３、書込画像抽出部１２５、およびオリジナル画像データベース１ＤＣの処理内容は、第一の実施形態におけるオリジナル書類登録処理部１０１、オリジナル書類複製処理部１０２、書込有書類読取処理部１０３、書込画像抽出部１０５、およびオリジナル画像データベース１ＤＢ（図４参照）の処理内容と基本的に同様である。ただし、オリジナル書類複製処理部１２２は、第一の実施形態の場合と異なり、書込有チェックボックスＣＢを設けることなくオリジナル書類の複製を生成する。
【００７４】
書込ページ判別部１２４および低解像度画像生成部１２６は、図１３に示すような方法で、書込有書類の中から書込がなされたページを判別するための処理を行う。
【００７５】
低解像度画像生成部１２６は、ユーザが書込を行った書類すなわち書込有書類の、書込有書類読取処理部１２３の処理によって得られた各ページの画像を、所定の解像度（以下、「解像度α」と記載する。）にまで低解像度化する（図１３の＃２２１）。以下、低解像度化された書込有書類の各ページの画像を「第一の低解像度画像ＧＬＡ」と記載する。さらに、その書込有書類の元の書類すなわちオリジナル書類の、オリジナル画像データベース１ＤＣに登録されている各ページの画像を、解像度αにまで低解像度化する（＃２２２）。以下、低解像度化されたオリジナル書類の各ページの画像を「第二の低解像度画像ＧＬＢ」と記載する。
【００７６】
書込ページ判別部１２４は、同一のページ番号の第一の低解像度画像ＧＬＡおよび第二の低解像度画像ＧＬＢ同士を比較することによって、書込のあるページを判別する（＃２２３）。具体的には、第一の低解像度画像ＧＬＡと第二の低解像度画像ＧＬＢとが一致する場合は書込がないと判別し、一致しない場合は書込があると判別する。
【００７７】
図１４は第二の実施形態における画像形成装置１の全体的な処理の流れの例を説明するためのフローチャートである。次に、第二の実施形態における画像形成装置１による書込画像ＫＧの生成処理の流れを、図１４のフローチャートを参照して説明する。
【００７８】
画像形成装置１は、予め、オリジナル書類をスキャンすることによって、そのオリジナル書類のオリジナル画像データＤＧＡをそのオリジナル書類の識別情報と対応付けてオリジナル画像データベース１ＤＣに登録しておく（図１４の＃２１）。そして、ユーザからの要求に従って、オリジナル書類の複製を用紙に印刷する（＃２２）。
【００７９】
ここで、ユーザは、印刷されたオリジナル書類の複製に自由にメモなどの情報を書き込む。なお、第一の実施形態の場合と異なり、書き込んだページにマークを入れる必要はない。そして、情報を書き込んだ書類つまり書込有書類を、画像形成装置１にスキャンさせる（＃２３）。また、この際に、ユーザは、オリジナル書類の識別情報を画像形成装置１に対して指定しておく。
【００８０】
すると、画像形成装置１は、スキャンした書込有書類の各ページの第一の低解像度画像ＧＬＡを生成する（＃２４）。これと並行してまたは前後して、ユーザが指定した識別情報に係るオリジナル書類（つまり、その書込有書類に対応するオリジナル書類）のオリジナル画像データＤＧＡを呼び出し（＃２５）、そのオリジナル書類の各ページの第二の低解像度画像ＧＬＢを生成する（＃２６）。
【００８１】
第１ページから順に、同じページ番号の第一の低解像度画像ＧＬＡと第二の低解像度画像ＧＬＢとを比較する（＃２８）。両者が一致しない場合は（＃２９でＮｏ）、書込有書類のそのページに書込があると判別する（＃３０）。そこで、第一の実施形態の場合と同様に、そのページの書込有書類の画像とオリジナル書類の画像とを照合し差分を抽出することによって、書込画像ＫＧを生成する（＃３１）。なお、ステップ＃３１においては、ステップ＃２４、＃２６で得た、解像度を落とした画像ではなく、元の解像度の画像を用いる。
【００８２】
一方、両者が一致する場合は（＃２９でＹｅｓ）、書込有書類のそのページには書込がないと判別する（＃３２）。よって、そのページについては、書込画像ＫＧの生成処理は行わない。
【００８３】
ステップ＃２８〜＃３２の各処理を、書込の有無の判別結果に応じて、スキャンした全ページに対して実行する。
【００８４】
第二の実施形態によると、第一の実施形態の場合のように書込有チェックボックスＣＢにマークを入れる必要がない。また、マークの入れ忘れを気にする必要がない。したがって、ユーザは、書込画像ＫＧの抽出処理を、さらに簡単にかつ確実に実行させることができる。
【００８５】
第二の実施形態によって得られた書込画像ＫＧも、第一の実施形態の場合と同様に、図１０で説明したような方法によって、オリジナル書類と自由に重ね合わせて重ね合わせ画像ＷＧを生成するためなどに使用される。
【００８６】
第一および第二の実施形態では、１つの原稿面に書類の１ページ分のコンテンツが描かれている場合を例に説明したが、１つの原稿面に複数ページ分のコンテンツが描かれている場合、つまり、いわゆる集約印刷の種類の場合にも、本発明を適用することができる。この場合は、１つの原稿面の中の複数のページを１つのページとみなして書込画像ＫＧの抽出処理を行えばよい。または、オリジナル書類および書込有書類からそれぞれスキャンした原稿面の画像を１ページごとに分割した後、書込画像ＫＧの抽出処理を行ってもよい。
【００８７】
第一および第二の実施形態では、ＭＦＰなどの画像形成装置１によって書込画像ＫＧを抽出する処理を実行する場合を例に説明したが、印刷装置およびスキャナ装置が接続されたパーソナルコンピュータまたはワークステーションなどによって係る処理を実行することも可能である。
【００８８】
その他、画像形成装置１の全体または各部の構成、処理内容、処理順序などは、本発明の趣旨に沿って適宜変更することができる。
【産業上の利用可能性】
【００８９】
本発明は、特に、多数のページによって構成される書類から書込を抽出する場合に好適に用いられる。
【図面の簡単な説明】
【００９０】
【図１】本発明に係る画像形成装置が設けられているネットワーク全体の構成の例を示す図である。
【図２】画像形成装置のハードウェア構成の例を示す図である。
【図３】操作パネルの例を示す図である。
【図４】画像形成装置の機能的構成の例を示す図である。
【図５】オリジナル書類の構成の例を示す図である。
【図６】書類のページ内における書込有チェックボックスの配置の例を示す図である。
【図７】書込画像の生成方法の例を説明するための図である。
【図８】第一の実施形態における画像形成装置の全体的な処理の流れの例を説明するためのフローチャートである。
【図９】書類のページ内における書込有チェック領域の配置の例を示す図である。
【図１０】重ね合わせ画像を生成するための機能的構成の例を示す図である。
【図１１】書込画像データベースの例を示す図である。
【図１２】画像形成装置の機能的構成の変形例を示す図である。
【図１３】書込のあるページの判別方法の例を説明するための図である。
【図１４】第二の実施形態における画像形成装置の全体的な処理の流れの例を説明するためのフローチャートである。
【符号の説明】
【００９１】
１  画像形成装置（書込画像取得装置）
１０３、１２３  書込有書類読取処理部（ページ画像入力手段）
１０４、１２４  書込ページ判別部（書込ページ判別手段）
１０５、１２５  書込画像抽出部（書込画像抽出手段）
１ＤＢ  オリジナル画像データベース（オリジナル画像記憶手段）
１０ｇ  スキャナユニット（ページ画像入力手段）
ＫＧ  書込画像
【図１】
2007115204.tif 000003
【図２】
2007115204.tif 000004
【図３】
2007115204.tif 000005
【図４】
2007115204.tif 000006
【図５】
2007115204.tif 000007
【図６】
2007115204.tif 000008
【図７】
2007115204.tif 000009
【図８】
2007115204.tif 000010
【図９】
2007115204.tif 000011
【図１０】
2007115204.tif 000012
【図１１】
2007115204.tif 000013
【図１２】
2007115204.tif 000014
【図１３】
2007115204.tif 000015
【図１４】
2007115204.tif 000016